(57)【要約】【課題】薬剤含浸体に空気を通過させて薬剤含有空気を送り出す害虫駆除器において、たとえ排気口に薬剤がたれても排気口を通じての外部との連通と遮断の切り替えをできるようにする。【解決手段】薬剤含浸体１２を収める薬剤収納部１４を有した筐体１３内における、薬剤含有空気を排出する排気口１５より下に排気路空間２０を備え、排気路空間２０の下に、排気路空間２０を当該害虫駆除器１１と設置床面Ｘとの間に形成される底部空間Ｙに開放する底開口２２を形成する。底開口２２には、水平方向に延びる軸部２７を中心に回動して底開口２２を開閉する開閉フラップ２４を備える。【選択図】図３
2019017314.tif 000002
【特許請求の範囲】
【請求項１】
筐体内に形成された薬剤収納部に対して上から下に空気を通過させて薬剤含有空気を得て、前記薬剤含有空気を前記薬剤収納部の下の排気口から、当該害虫駆除器と設置床面との間に形成される底部空間を通して外部に送り出す害虫駆除器であって、
前記筐体内における前記排気口より下に排気路空間が形成され、
前記排気路空間の下に、前記排気路空間を前記底部空間に開放する底開口が形成され、
前記底開口に、水平方向に延びる回動軸を中心に回動して前記底開口を開閉する開閉フラップが備えられた
害虫駆除器。
【請求項２】
前記底開口が１個であるとともに、
１個の前記底開口に複数の前記開閉フラップが平行に備えられた
請求項１に記載の害虫駆除器。
【請求項３】
前記排気口の上に、前記排気口の大きさよりも小さい貫通穴を有する補助板部材が着脱可能に備えられた
請求項１または請求項２に記載の害虫駆除器。
【請求項４】
前記薬剤収納部が合成樹脂製であり、
前記筐体内に、前記薬剤収納部に向けてヒータが備えられるとともに、
前記薬剤収納部における前記ヒータに対向する部位に反射板が備えられた
請求項１から請求項３のうちいずれか一項に記載の害虫駆除器。
【請求項５】
前記筐体の周面の一部に側部開口が形成され、
前記側部開口に、前記薬剤収納部を構成するとともに薬剤含浸体を収納する収納ラックを備えたカバー部材が着脱可能に取り付けられた
請求項１から請求項４のうちいずれか一項に記載の害虫駆除器。
【請求項６】
前記カバー部材の下端部に、前記筐体に対する傾動動作での開閉を可能にする回動支持部が形成された
請求項５に記載の害虫駆除器。
【発明の詳細な説明】
【技術分野】
【０００１】
この発明は、例えばゴキブリなどの害虫を駆除するための害虫駆除器に関する。
【背景技術】
【０００２】
厨房などで使用するのに好適な害虫駆除器として、下記特許文献１の装置がある。この装置は、筐体内に備えられた薬剤室に空気を上から下に送って薬剤含有空気を得たのち、これを、薬剤室より下の排気口から、排気口より下に脚部を設けて上げ底状に形成された底部空間を通して外部に送り出すものである。
【０００３】
この装置は、夜間に自動運転を行うように構成されており、排気口の下に、排気口を開閉自在とする遮蔽板が摺動自在に設けられている。つまり、昼間の非稼働時間帯は排気口を遮蔽板によって閉じて排気口を通しての通気を遮断する一方、夜間の稼働時間帯は、閉じていた排気口を開けて薬剤室を内外に連通させる。
【０００４】
しかし、運転に伴って薬剤が排気口にたれて付着し、排気口の開閉に支障をきたすおそれがある。
【先行技術文献】
【特許文献】
【０００５】
【特許文献１】特許第４３０８２２５号公報
【発明の概要】
【発明が解決しようとする課題】
【０００６】
この発明は、たとえ排気口に薬剤がたれても排気口を通じての外部との連通と遮断の切り替えをできるようにすることを主な目的とする。
【課題を解決するための手段】
【０００７】
そのための手段は、筐体内に形成された薬剤収納部に対して上から下に空気を通過させて薬剤含有空気を得て、前記薬剤含有空気を前記薬剤収納部の下の排気口から、当該害虫駆除器と設置床面との間に形成される底部空間を通して外部に送り出す害虫駆除器であって、前記筐体内における前記排気口より下に排気路空間が形成され、前記排気路空間の下に、前記排気路空間を前記底部空間に開放する底開口が形成され、前記底開口に、水平方向に延びる回動軸を中心に回動して前記底開口を開閉する開閉フラップが備えられた害虫駆除器である。
【０００８】
この構成では、薬剤含有空気が出る排気口より下に形成された排気路空間の下に底開口の開閉フラップの開閉で、排気口部分の遮断を行う。排気路空間は排気口と開閉フラップとの間に間隔を形成して、たとえ薬剤が排気口にたれて付着した場合でも、開閉フラップの開閉動作を確実に行わせる。また、開閉フラップは、排気口に接することなく開閉するとともに、水平の回動軸を中心に回動するものであるので、薬剤がたれたとしても回動動作に支障をきたしにくい。
【発明の効果】
【０００９】
この発明によれば、運転に伴って排気口に薬剤がたれたとしても開閉フラップの開閉を確保できる。
【図面の簡単な説明】
【００１０】
【図１】害虫駆除器の前面側から見た斜視図。
【図２】害虫駆除器の背面側から見た斜視図。
【図３】害虫駆除器の正面図中央縦断面図。
【図４】図１のＡ‐Ａ断面図。
【図５】収納ラックの斜視図。
【図６】害虫駆除器の薬剤収納部を開いた状態の斜視図。
【図７】害虫駆除器の収納ラックを外した状態の斜視図。
【図８】底開口と開閉フラップ部分を示す横断面図。
【図９】図８のＢ−Ｂ断面図。
【図１０】フラップユニットの斜視図。
【図１１】反射板を備えた害虫駆除器の縦断面図。
【発明を実施するための形態】
【００１１】
この発明を実施するための一形態を、以下図面を用いて説明する。
【００１２】
図１に、害虫駆除器１１の正面側から見た斜視図、図２に、それを背面側から見た斜視図を示す。
【００１３】
この害虫駆除器１１は、例えば厨房などの害虫駆除空間の床面（設置床面Ｘ）に置いて使用され、図２に矢印で示したように、背面の上端部から害虫駆除空間の空気を吸引して、その空気を内部において薬剤含有空気に変換して、底から送り出す構造である。薬剤含有空気への変換には、蒸散性殺虫剤溶液を多孔性のマットに含浸させた薬剤含浸体１２（図３、図４参照）を使用する。薬剤含浸体１２は長方形板状である。
【００１４】
図３は害虫駆除器１１の正面図中央縦断面図、図４はその側面図中央縦断面図（図１のＡ−Ａ断面図）であり、内部の概略の構造を示している。害虫駆除器１１は、前述したように、筐体１３内に形成された薬剤収納部１４に対して上から下に空気を通過させて薬剤含有空気を得て、この薬剤含有空気を薬剤収納部１４の下の排気口１５から、害虫駆除器１１と設置床面Ｘとの間に形成される底部空間Ｙを通して外部に送り出す。
【００１５】
筐体１３は複数の部材を組み合わせて構成され、これらの部材は例えば金属などの適宜の材料で構成できるが、この例ではすべての部材は合成樹脂製である。
【００１６】
筐体１３は、前面が凸の円弧面であり、背面と左右両側面が平面である柱状である。つまり、筐体１３の平面視形状は、長円形を長軸方向の半分の位置で切断した略半長円形状である。この筐体１３は、大きく分けて天板部材３１と、本体部材３２と、台座部材３３を有する。
【００１７】
天板部材３１は、平板状の天板３１ａと、天板３１ａの外周縁から下に延びる周壁３１ｂを有する。周壁３１ｂは、本体部材３２の上端に外嵌合する。周壁３１ｂの背面には、外気を導入するための吸気口１６が形成されている。吸気口１６は長穴で形成され、複数備えられている。
【００１８】
本体部材３２は筒状に形成されており、中央から背面側の部分に通気部１７が形成されている。通気部１７は本体部材３２の内に仕切り部材３４を備えることで構成され、仕切り部材３４の外側には断熱等のための適宜の空間Ｓが形成される。この空間Ｓには制御基板（図示せず）などの適宜の部材を収容できる。
【００１９】
通気部１７の上端部には、空気を下に送るファン１８が備えられている。
【００２０】
ファン１８を備えた部分より下は、前述の薬剤収納部１４である。薬剤収納部１４には、薬剤収納部１４を構成するとともに薬剤含浸体１２を収納する収納ラック３５が備えられる。図５が収納ラック３５の斜視図であり、上面と前面の上側部分を欠いた略中空直方体形状であり、底板３５ａには図３、図４に断面で示したように複数の通気穴３６が形成されている。通気穴３６は平面視長方形状である。
【００２１】
収納ラック３５の左右両側の側板３５ｂにおける上端縁には、前面板３５ｃに向かって下がる傾斜辺３７が形成されている。この傾斜辺３７は、収納ラック３５に対する薬剤含浸体１２の出し入れを容易にするためであるとともに、図６に示したように、収納ラック３５を手前に引いて薬剤収納部１４を開けられるようにするためのものである。
【００２２】
収納ラック３５の前面板３５ｃの切欠き３８は、左右両側の縁を残して所定の深さに設定される。この切欠き３８は、図３に示したように、筐体１３内に薬剤収納部１４に向けてヒータ１９を備えるためである。ヒータ１９は、通気部１７内の前面側、つまり仕切り部材３４の内周面のうち前面に対応する側に備えられる。切欠き３８の大きさと位置は、前面板３５ｃにおけるヒータ１９と重なる位置に形成される。
【００２３】
なお、ヒータ１９は長方形薄板状であり、薬剤収納部１４の温度を高めるためのものである。薬剤収納部１４の温度を適正な温度に高めることによって、薬剤含有空気の生成を促進させたり、害虫駆除の有効性を高めたりすることができる。
【００２４】
収納ラック３５の背面板３５ｄの内面と前面板３５ｃの内面には、長方形板状の薬剤含浸体１２を害虫駆除器１１の左右方向に適宜間隔をあけて複数枚並べて収納するための複数のリブ３９が離間配置されている。
【００２５】
収納ラック３５の背面側には、害虫駆除器１１の周面を構成する板状のカバー部材４１が固定されている。カバー部材４１は、筐体１３の周面、具体的には本体部材３２の背面側に形成された側部開口３２ａに嵌る形状である。カバー部材４１の下端部には、図３に示したように筐体１３の本体部材３２に対する傾動動作で開閉を可能にする回動支持部４２が下に突設されている。回動支持部４２は、左右方向の両側に一対形成されており、図７に示したように本体部材３２の側部開口３２ａの下端の背面側端縁に形成された左右一対の支持穴４３に着脱可能で、且つ回動可能に嵌るものである。カバー部材４１の上端部には、薬剤収納部１４を閉じた状態に保持するための施錠装置４４が備えられている。
【００２６】
本体部材３２における収納ラック３５の底板３５ａが乗る部分、つまり薬剤収納部１４の下である内底面１４ａは板状に形成され、図７、図３、図４に示したように、前述の排気口１５が形成されている。この排気口１５は、収納ラック３５の底板３５ａと同様に平面視長方形状の複数の貫通穴で構成されている。
【００２７】
本体部材３２内の通気部１７のうち排気口１５より下には、図３、図４に示したように排気路空間２０が形成される。この排気路空間２０は四方が囲まれた閉鎖可能な空間であり、適宜の高さに設定されるとよい。
【００２８】
排気路空間２０より上、つまり内底面１４ａに形成された排気口１５の上には、図７に分離して示したように、補助板部材２１が着脱可能に備えられる。補助板部材２１は、平面視形状が内底面１４ａに嵌合対応する形状であり、平板部２１ａの外周縁に周壁部２１ｂが垂設されている。平板部２１ａは複数の貫通穴２１ｃを有する。この貫通穴２１ｃは前述した排気口１５や通気穴３６の大きさよりも小さく、この例では貫通穴２１ｃの形状は平面視円形である。
【００２９】
排気路空間２０の下は前述の台座部材３３で塞がれる。台座部材３３は、板状の底板３３ａと、底板３３ａの外周縁から下に延びる周壁３３ｂを有する。そして底板３３ａ、つまり排気路空間２０の下には、排気路空間２０を底部空間Ｙに開放する底開口２２が形成されている。底開口２２は害虫駆除器１１と外部（装置外）との境界となる部分であり、底板３３ａの略中央に形成され、平面視略四角形状である。底開口２２は複数個備えてもよいが、この例では１個である。
【００３０】
周壁３３ｂは、前面と背面と左右の両側面に略横長台形状の切欠き部２３を有している。換言すれば、台座部材３３は周壁３３ｂにおける四隅に相当する部分に、設置床面Ｘに接地する脚部３３ｃが形成されており、これら脚部３３ｃで底部空間Ｙを形成するとともに脚部３３ｃの間の切欠き部２３を通して、底部空間Ｙとそれより外の部分を連通させている。
【００３１】
底開口２２には、図８、図９に示したように水平方向に延びる回動軸を中心に回動して底開口２２を開閉する開閉フラップ２４が備えている。開閉フラップ２４は複数個が平行に備えられ、同時に回動することによって底開口２２を開閉する。
【００３２】
図８は、底開口２２を開いた状態を示す平面図、図９は図８のＢ−Ｂ断面図である。これらの図に示すように開閉フラップ２４は細幅板状に形成され、平面方向を立てた姿勢と水平に寝かせた姿勢とに回動するものであり、上面における長手方向の両端部に起立片２５，２６が形成されている。起立片２５，２６の外側面、つまり開閉フラップ２４の長手方向外側の面には回動軸としての軸部２７が形成されている。開閉フラップ２４の短手方向の一方、つまり底開口２２を開いた時に上に位置する側の端縁には、下面側に切欠き部２４ａが形成され、短手方向の他方、つまり底開口２２を開いた時に下に位置する側の端縁には、上面側に切欠き部２４ｂが形成されている。これらの切欠き部２４ａ，２４ｂは、隣接する開閉フラップ２４同士が回動して水平になった時に互いに噛みあうように近接させるためのものである。
【００３３】
図１０は開閉フラップ２４を備えるフラップユニット２８の斜視図であり、このフラップユニット２８は、台座部材３３の底板３３ａ上に装着される。
【００３４】
フラップユニット２８は、平面視方形枠状のフレーム２８ａに、複数の開閉フラップ２４の軸部２７を回動可能に保持して構成される。開閉フラップ２４の起立片２５，２６のうち、害虫駆除器１１の前面側部分に対応する側の起立片２６は、他方の起立片２５とは異なり、斜め上方に突出するアーム部２６ａを有している。アーム部２６ａには連動用軸部２６ｂが形成されている。複数の開閉フラップ２４の連動用軸部２６ｂは、連結部材２８ｂを介して回動可能に連結されている。
【００３５】
開閉フラップ２４の回動は、ソレノイドやモータなどの適宜のロータリーアクチュエータ２８ｃを駆動源して行われる。ロータリーアクチュエータ２８ｃの回転軸（図示せず）は、複数の開閉フラップ２４のうちの一つの開閉フラップ２４の一方の軸部２７に連結されている。図示例では、３個の開閉フラップ２４を備えているので、中間に位置する開閉フラップ２４の軸部２７に、ロータリーアクチュエータ２８ｃの回転軸（図示せず）が連結される。このため、ロータリーアクチュエータ２８ｃは、筐体１３内における前面側の最も外方に突出している部分に位置することになる。
【００３６】
ロータリーアクチュエータ２８ｃが一つの開閉フラップ２４の軸部２７を回転すると、その回転は連結部材２８ｂを介して他の開閉フラップ２４に伝達され、すべての開閉フラップ２４は同時に起立姿勢と水平姿勢の間を９０度正逆回転する。ロータリーアクチュエータ２８ｃは、タイマを備えた制御装置（図示せず）を介して駆動制御される。
【００３７】
以上のほか、害虫駆除器１１は、図示と詳しい説明を省略するが、ヒータ１９の駆動のための各種装置や、薬剤収納部１４の温度を測定する温度センサ、操作スイッチなどを備えている。
【００３８】
図１１に示したように、合成樹脂製の薬剤収納部１４におけるヒータ１９に対向する部位、つまり収納ラック３５の背面板３５ｄの内面に、リブ３９を一部切り欠いて反射板２９を備えてもよい。反射板２９はヒータ１９の熱を反射するので、薬剤収納部１４の温度を高め作用を果たす。
【００３９】
以上のように構成された害虫駆除器１１は、次のように使用される。
【００４０】
背面側のカバー部材４１を傾けるか、取り外すかして、収納ラック３５に薬剤含浸体１２を収納して薬剤収納部１４を閉じ、施錠装置４４を利用してロックをかける。
【００４１】
夜間の所定時間を稼働時間帯として、それ以外の時間を非稼働時間帯として制御装置で設定すると、その設定に従って、害虫駆除器１１は駆動する。非稼働時間帯は、ファン１８やヒータ１９がオフ状態であり、ロータリーアクチュエータ２８ｃは開閉フラップ２４を水平にして底開口２２を塞ぐ状態を維持している。これが、稼働時間になると、ロータリーアクチュエータ２８ｃが駆動して開閉フラップ２４を上下方向に立てる姿勢にし、底開口２２を開く。これにより、底開口２２を通して薬剤収納部１４と外部が連通する。
【００４２】
また、ファン１８やヒータ１９も駆動する。ファン１８の駆動により上端部背面の吸気口１６から害虫駆除空間の空気が通気部１７に取り込まれ、この空気は薬剤収納部１４、つまり収納ラック３５に収納された薬剤含浸体１２を通過して下方に移動し、薬剤を含んだ薬剤含有空気となって、排気口１５から排気路空間２０に移動する。排気路空間２０に入った薬剤含有空気は底開口２２を通過して、底部空間Ｙから、台座部材３３の切欠き部２３を通って四方に拡散する。
【００４３】
運転中、温度センサは、あらかじめ設定された温度に制御して、より有効な殺虫環境をつくるとともに、安全を確保する。
【００４４】
稼働時間が経過すると、タイマによりヒータ１９やファン１８が停止するとともに、ロータリーアクチュエータ２８ｃが駆動して開閉フラップ２４を水平姿勢に回転させ、底開口２２を閉じる。これにより、底開口２２を通じての薬剤収納部１４と外部との連通を遮断する。
【００４５】
排気路空間２０は排気口１５と開閉フラップ２４との間に間隔を形成するので、たとえ薬剤が排気口１５にたれて付着した場合でも、開閉フラップ２４の開閉動作を確実に行わせる。また、開閉フラップ２４は、排気口１５に接することなく開閉するとともに、水平の軸部２７、しかも開閉フラップ２４の長手方向の外側に突出して排気口１５を有する領域よりも外側に位置する軸部２７を中心に回動するものであるので、薬剤がたれたとしても回動動作に支障をきたしにくい。このため、運転に伴って排気口１５に薬剤がたれたとしても開閉フラップ２４の開閉動作を確保でき、自動運転で底開口２２が閉じなかったり開かなかったりすることを防止して、安全で確実な稼働を期待できる。
【００４６】
排気口１５の上には、排気口１５の大きさよりも小さい貫通穴２１ｃを有する補助板部材２１を着脱可能に備えているので、この点からも排気口１５に対する薬剤のたれを抑制できる。
【００４７】
また、底開口２２は１個であるとともに、その底開口２２に複数の開閉フラップ２４を平行に備えているので、排気路空間２０の高さを比較的小さくすることができ、害虫駆除器１１のコンパクト化に資する。
【００４８】
害虫駆除器１１のコンパクト化については、フラップユニット２８のロータリーアクチュエータ２８ｃを前面側に位置させるとともに、最も外方に突出している左右方向の中間部に位置させているので、この点からもコンパクト化をはかることができる。
【００４９】
筐体１３の周面に側部開口３２ａを形成して、収納ラック３５を備えたカバー部材４１を着脱可能に取り付けたので、薬剤含浸体１２の着脱などの操作性が良好である。しかも、カバー部材４１の下端部に回動支持部４２を形成したので、引き出すように収納ラック３５を傾けて薬剤収納部１４を開いて、所望の作業ができるので、操作性が良い。
【符号の説明】
【００５０】
１１…害虫駆除器
１３…筐体
１４…薬剤収納部
１５…排気口
１９…ヒータ
２０…排気路空間
２１…補助板部材
２１ｃ…貫通穴
２２…底開口
２４…開閉フラップ
２７…軸部
２９…反射板
３２ａ…側部開口
３５…収納ラック
４１…カバー部材
４２…回動支持部
Ｘ…設置床面
Ｙ…底部空間
【図１】
2019017314.tif 000003
【図２】
2019017314.tif 000004
【図３】
2019017314.tif 000005
【図４】
2019017314.tif 000006
【図５】
2019017314.tif 000007
【図６】
2019017314.tif 000008
【図７】
2019017314.tif 000009
【図８】
2019017314.tif 000010
【図９】
2019017314.tif 000011
【図１０】
2019017314.tif 000012
【図１１】
2019017314.tif 000013
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
筐体内に形成された薬剤収納部に対して上から下に空気を通過させて薬剤含有空気を得て、前記薬剤含有空気を前記薬剤収納部の下の排気口から、当該害虫駆除器と設置床面との間に形成される底部空間を通して外部に送り出す害虫駆除器であって、
前記筐体内における前記排気口より下に排気路空間が形成され、
前記排気路空間の下に、前記排気路空間を前記底部空間に開放する底開口が形成され、
前記底開口に、水平方向に延びる回動軸を中心に回動して前記底開口を開閉する開閉フラップが備えられ、
前記排気口の上に、前記排気口の大きさよりも小さい貫通穴を有する補助板部材が着脱可能に備えられた
害虫駆除器。
【請求項２】
前記底開口が１個であるとともに、
１個の前記底開口に複数の前記開閉フラップが平行に備えられた
請求項１に記載の害虫駆除器。
【請求項３】
前記薬剤収納部が合成樹脂製であり、
前記筐体内に、前記薬剤収納部に向けてヒータが備えられるとともに、
前記薬剤収納部における前記ヒータに対向する部位に反射板が備えられた
請求項１または請求項２に記載の害虫駆除器。
【請求項４】
前記筐体の周面の一部に側部開口が形成され、
前記側部開口に、前記薬剤収納部を構成するとともに薬剤含浸体を収納する収納ラックを備えたカバー部材が着脱可能に取り付けられた
請求項１から請求項３のうちいずれか一項に記載の害虫駆除器。
【請求項５】
前記カバー部材の下端部に、前記筐体に対する傾動動作での開閉を可能にする回動支持部が形成された
請求項４に記載の害虫駆除器。
【手続補正２】
【補正対象書類名】明細書
【補正対象項目名】０００７
【補正方法】変更
【補正の内容】
【０００７】
そのための手段は、筐体内に形成された薬剤収納部に対して上から下に空気を通過させて薬剤含有空気を得て、前記薬剤含有空気を前記薬剤収納部の下の排気口から、当該害虫駆除器と設置床面との間に形成される底部空間を通して外部に送り出す害虫駆除器であって、前記筐体内における前記排気口より下に排気路空間が形成され、前記排気路空間の下に、前記排気路空間を前記底部空間に開放する底開口が形成され、前記底開口に、水平方向に延びる回動軸を中心に回動して前記底開口を開閉する開閉フラップが備えられ、前記排気口の上に、前記排気口の大きさよりも小さい貫通穴を有する補助板部材が着脱可能に備えられた害虫駆除器である。